【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
撮像装置によって、バーコードの画像を取り込み、
画像取り込みモジュールによって、前記バーコードを復号して、データを検索し、前記データには、梱包容器のサイズ寸法、基準点、梱包容器の構造パラメータが含まれ、
プロセッサによって、
前記梱包容器のサイズ寸法および前記構造パラメータを用いて、梱包容器の平面の第１の小平面の寸法を規定し、
前記第１の小平面の寸法および前記基準点を用いて、前記梱包容器の平面に関して、複数の追加の小平面の寸法を決定し、
前記第１の小平面の寸法および前記追加の小平面の寸法に基づき、一連の切り抜き命令を規定し、
自動の梱包容器作成装置によって、前記切り抜き命令を基材に適用し、切り抜き装置を用いて、前記梱包容器の平面を作成して、梱包容器を作成する、
方法。
【請求項２】
前記取り込みには、前記基材上に印刷された、前記バーコードの画像を取り込むことが含まれる、請求項１に記載の方法。
【請求項３】
前記複数の追加の小平面の寸法の決定には、前記梱包容器の寸法および前記梱包容器の構造パラメータに基づいて、データベースからテンプレートを検索することも含まれる、請求項１に記載の方法。
【請求項４】
前記梱包容器の構造パラメータには、前記梱包容器の小平面の形状が含まれ、前記テンプレートには、規則セットが含まれ、前記複数の追加の小平面の寸法の決定には、
前記形状および前記梱包容器の寸法を、前記規則セットに適用して、前記梱包容器の平面に関する複数の追加の小平面、および各小平面に関する少なくとも１つのその他の小平面に関する寸法セットおよび位置を特定することがさらに含まれる、請求項３に記載の方法。
【請求項５】
前記第１の小平面の寸法の規定および前記追加の小平面の寸法の決定には、小平面ごとに、複数の縁を作成するための一連の命令を規定することがさらに含まれ、少なくとも１つの前記縁には、切り抜き線が含まれ、少なくとも第２の前記縁には、折り線が含まれる、請求項１に記載の方法。
【請求項６】
前記第１の小平面の寸法の規定には、
前記バーコード内の指標に基づいてアルゴリズムを選択し、
前記構造パラメータを前記アルゴリズムに適用することが含まれる、請求項１に記載の方法。
【請求項７】
前記梱包容器の構造パラメータには、少なくとも１つの梱包容器の小平面に関する情報が含まれる、請求項１に記載の方法。
【請求項８】
前記梱包容器の構造パラメータには、たった１つの梱包容器の小平面に関する情報が含まれる、請求項１に記載の方法。
【請求項９】
自動梱包容器作成システムであって、
バーコードを復号して、梱包容器のサイズ寸法、基準点、梱包容器に関する構造パラメータに対応するデータを作成するよう設定された画像取り込みモジュールと、
プロセッサと、
切り抜き装置と、
プログラミング命令を保持するコンピュータ可読メモリであって、前記プログラミング命令が実行されると、
前記梱包容器の寸法および前記構造パラメータを用いて、前記梱包容器の第１の小平面の寸法を規定し、
前記第１の小平面の寸法および前記基準点を用いて、前記梱包容器の複数の追加の小平面の寸法を決定し、
前記第１の小平面の寸法および前記追加の小平面の寸法に基づいて、一連の切り抜き命令を規定し、
前記切り抜き装置に、前記切り抜き命令を基材に適用して、前記梱包容器の２次元平面を作成するよう前記プロセッサに命令する、コンピュータ可読メモリと、を含むシステム。
【請求項１０】
前記基材から前記バーコードの画像を取り込み、復号するために前記画像を前記画像取り込みモジュールに供給するよう設定された撮像装置をさらに含む請求項９に記載のシステム。
【請求項１１】
複数の梱包容器のテンプレートを格納するデータベースをさらに含み、
前記プログラミング命令は、実行されると、前記梱包容器の寸法および前記梱包容器の構造パラメータに基づいて、前記プロセッサに前記複数の追加の小平面の寸法を決定させ、前記命令には、前記データベースからテンプレートを選択する命令も含まれる、請求項９に記載のシステム。
【請求項１２】
前記梱包容器の構造パラメータは小平面の形状を含み、
前記選択されたテンプレートは規則セットを含み、
実行されると、前記プロセッサに前記複数の追加の小平面の寸法を決定させる前記プログラミング命令には、
前記形状および前記梱包容器の寸法を前記規則セットに適用して、前記梱包容器の平面に関する複数の追加の小平面を特定し、
小平面ごとに、前記他の小平面のうちの少なくとも１つに関する寸法のセットおよび位置を特定するための命令も含まれる、請求項１１に記載のシステム。
【請求項１３】
実行されると、前記プロセッサに前記第１の小平面の寸法を規定させ、前記追加の小平面の寸法を決定させる前記プログラム命令には、小平面ごとに、一連の命令を規定して、複数の縁を作成するための命令も含まれ、少なくとも１つ前記縁には、切り抜き線が含まれ、少なくとも第２の前記縁には、折り線が含まれる、請求項９に記載のシステム。
【請求項１４】
実行されると、前記プロセッサに前記第１の小平面の寸法を規定させる前記プログラム命令には、
前記バーコード内の指標に基づいてアルゴリズムを選択し、
前記構造パラメータを前記アルゴリズムに適用するための命令も含まれる、請求項９に記載のシステム。
【請求項１５】
前記梱包容器の構造パラメータには、たった１つの梱包容器の小平面に関する情報が含まれる、請求項９に記載のシステム。
【請求項１６】
前記梱包容器の構造パラメータには、少なくとも１つの梱包容器の小平面に関する情報が含まれる、請求項９に記載のシステム。
【請求項１７】
実行されると、電子装置のプロセッサに、
バーコードの画像を取り込ませ、
前記バーコードを復号して、梱包容器の寸法データ、基準点、および梱包容器の構造パラメータを検索させ、
前記梱包容器の寸法データおよび前記梱包容器の構造パラメータを用いて、梱包容器の第1の小平面の寸法を規定させ、
前記第１の小平面の寸法および前記基準点を用いて、前記梱包容器の複数の追加の小平面の寸法を決定させ、
前記第１の小平面の寸法および前記追加の小平面の寸法に基づいて、一連の切り抜き命令を規定させ、
自動の梱包容器作成装置に、前記切り抜き命令を梱包容器の平面に適用するよう命令させるプログラミング命令を含むコンピュータ可読媒体。
【請求項１８】
前記梱包容器の構造パラメータには、梱包容器の小平面の形状が含まれ、実行されると、前記プロセッサに前記複数の追加の小平面の寸法を決定させる前記命令には、
前記梱包容器の寸法データおよび前記梱包容器の構造パラメータに基づいて、データベースからテンプレートを検索するための命令と、
前記形状および前記梱包容器の寸法を、前記テンプレートに適用して、前記梱包容器の平面に関する複数の追加の小平面、および各小平面に関する少なくとも１つのその他の小平面に関する寸法セットおよび位置を特定するための命令と、が含まれる、請求項１７に記載のコンピュータ可読媒体。
【請求項１９】
実行されると、前記プロセッサに前記複数の追加の小平面の寸法を決定させる前記命令には、
複数の縁を作成するための命令もさらに含まれ、前記縁の第１のサブセットには、切り抜き線が含まれ、前記縁の第２のサブセットには、折り線が含まれる、請求項１８に記載のコンピュータ可読媒体。
【請求項２０】
実行されると、前記プロセッサに前記第１の小平面の寸法を規定させる前記命令には、
前記バーコード内の指標に基づいてアルゴリズムを選択し、
前記構造パラメータを前記アルゴリズムに適用するための命令もさらに含まれる、請求項１９に記載のコンピュータ可読媒体。